(57)【要約】【課題】多様な使用態様に対応できる装着装置及び電子機器を提供する。【解決手段】ベース部材３０と、キーボード装置３に対しベース部材３０を着脱可能に装着する装着機構と、タブレットＰＣ２を収納する収納部３２とを有し、装着機構を、係合凹部５３Ａ，５３Ｂと係合することによりベース部材３０をキーボード装置３に係止する係合爪４２Ａ，４２Ｂと、係合爪４２Ａ，４２Ｂと係合凹部５３Ａ，５３Ｂとを離間させることによりキーボード装置３と装着装置４の係止を解除するレバー部材３３Ａ，３３Ｂとを有する。【選択図】  図３
2015035027.tif 000002
【特許請求の範囲】
【請求項１】
基部と、
前記基部に設けられ、第１の電子装置に対し前記基部を着脱可能に装着する装着機構と、
前記基部に設けられ、第２の電子装置を収納する収納部と、
を有する装着装置。
【請求項２】
前記装着機構は、
前記基部を前記第１の電子装置に係止する係合部と、
前記係合部の前記第１の電子装置との係止を解除する係止解除部材と
を有する請求項１記載の装着装置。
【請求項３】
前記係止解除部材はレバー部材であり、
前記レバー部材は、前記係合部と前記第１の電子装置との係止が解除された状態で、前記基部を支持する構成とした請求項２記載の装着装置。
【請求項４】
前記第１の電子装置は入力装置であり、前記第２の電子装置はタブレット端末装置である請求項１乃至３のいずれか一項に記載の装着装置。
【請求項５】
第１の電子装置と、
前記第１の電子装置に装着脱可能に装着されると共に、第２の電子装置を収納する装着装置とを有する電子機器であって、
前記装着装置は、
基部と、
前記第１の電子装置に対し前記基部を着脱可能に装着する装着機構と、
前記基部に設けられ第２の電子装置を収納する収納部とを有する電子機器。
【請求項６】
前記装着機構は、
前記基部に設けられた第１の係合部と、
前記第１の電子装置にスライド可能に取り付けられており、前記第１の係合部と係合する第２の係合部を有したスライド部材と、
前記基部に回動可能に設けられており、回動中心から一の方向に延出すると共に前記スライド部材と係合する第１のレバー部と、前記回動中心から他の方向に延出する第２のレバー部とを有したレバー部材とを有し、
前記第２のレバー部は、前記装着装置が前記第１の電子装置から離脱した状態で前記基部から斜めに延出し前記基部を支持する位置に移動することを特徴する請求項５記載の電子機器。
【請求項７】
前記スライド部材に、前記スライド部材をスライド操作する操作部材を設けたことを特徴とする請求項６記載の電子機器。
【発明の詳細な説明】
【技術分野】
【０００１】
本発明は、装着装置及び電子機器に関する。
【背景技術】
【０００２】
近年、情報端末装置として、キーボード装置を使用しなくてもソフトウェアキーボードにより文字入力を可能とした、いわゆるタブレットＰＣ（ＰＣ：パーソナルコンピュータ）が普及してきている。しかしながら、ソフトウェアキーボードは表示画面をタッチして文字入力するため、操作性が乏しく、一般的なキーボード装置と比較して操作性が劣るという問題点がある。
【０００３】
このため、キーボード装置に対してタブレットＰＣを着脱可能な構成とし、装着状態においてタブレットＰＣとキーボードが一体化される構成のものが提供されている（特許文献１）。また、タブレットＰＣを支持台に装着し、タブレットＰＣから分離した状態のキーボードで入力処理を行う構成のものも提案されている（特許文献２）。
【先行技術文献】
【特許文献】
【０００４】
【特許文献１】特開２０００−０１０６５４号公報
【特許文献２】特開平９−２５１３２８号公報
【発明の概要】
【発明が解決しようとする課題】
【０００５】
ところで、タブレットＰＣは携帯性に優れるため、種々の環境下で使用される。例えば、特に入力処理を一人で行うような場合には、タブレットＰＣをキーボード装置と一体化してノートタイプのＰＣと同様に使用できる態様（以下、第１の使用態様という）にした方が便利である。
【０００６】
また、多数の人が集まった会議等において、タブレットＰＣの表示画面をこれらの多数の人に見てもらうような場合には、タブレットＰＣを支持台に装着すると共に多数の人に見易い位置までタブレットＰＣを移動できる態様（以下、第２の使用態様という）にした方が便利である。
【０００７】
しかしながら、従来のキーボードに対してタブレットＰＣを着脱可能な構成としたものは、上記の第２の使用態様に対応することができない。また、従来のタブレットＰＣを支持台に装着する構成としたものは、上記の第１の使用態様に対応することができないという問題点があった。
【０００８】
本発明のある態様の例示的な目的のひとつは、多様な使用態様に対応できる装着装置及び電子機器を提供することにある。
【課題を解決するための手段】
【０００９】
本発明のある態様によると、
基部と、
前記基部に設けられ、第１の電子装置に対し前記基部を着脱可能に装着する装着機構と、
前記基部に設けられ、第２の電子装置を収納する収納部とを備える。
【発明の効果】
【００１０】
本発明のある態様によると、第１の電子装置と第２の電子装置を多様な使用態様で使用することが可能になる。
【図面の簡単な説明】
【００１１】
【図１】図１は、ある実施形態である電子機器を示す斜視図である。
【図２】図２は、タブレットＰＣを装着装置から取り外した状態の電子機器を示す斜視図である。
【図３】図３は、装着装置をキーボード装置から取り外した状態の電子機器を示す斜視図である。
【図４】図４は、タブレットＰＣをキーボード装置に向け折り畳んだ状態の電子機器示す斜視図である。
【図５】図５は、ある実施形態である装着装置の斜視図である。
【図６】図６は、ロック解除レバー部の近傍を拡大して示す斜視図である。
【図７】図７は、ある実施形態である装着装置の動作を説明するための平面図である（その１）。
【図８】図８は、ある実施形態である装着装置の動作を説明するための平面図である（その２）。
【図９】図９は、ある実施形態である装着装置の動作を説明するための平面図である（その３）。
【図１０】図１０は、ある実施形態である装着装置の動作を説明するための平面図である（その４）。
【図１１】図１１は、ある実施形態である装着装置の動作を説明するための平面図である（その５）。
【図１２】図１２は、他の実施形態である装着装置を示す平面図である。
【図１３】図１３は、他の実施形態である電子機器を示す平面図である。
【発明を実施するための形態】
【００１２】
次に、添付の図面を参照しながら、本発明の限定的でない例示の実施形態について説明する。
【００１３】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１４】
また、以下説明する実施形態は、発明を限定するものではなく例示であって、実施形態に記述される全ての特徴やその組み合わせは、必ずしも発明の本質的なものであるとは限らない。
【００１５】
図１は、本発明のある実施形態である電子装置１Ａを示している。本実施形態では、電子装置としてタブレットＰＣ（パーソナルコンピュータ）２とキーボード装置３を用いた電子装置１Ａを例に挙げて説明するものとする。
【００１６】
タブレットＰＣ２は携帯可能なものであり、ディスプレイ装置７等を有するタブレット本体６をキーボード装置３に装着可能とする構成とされている。キーボード装置３は、キーボード本体１０にキーボード１１、スクロールパッド１２、及びフレーム１３等を有している。
【００１７】
キーボード本体１０は筐体形状を有しており、中央位置に複数のキートップにより構成されたキーボード１１が配設されると共に、手前にはカーソルを移動操作するとき等に用いるスクロールパッド１２が配設されている。
【００１８】
図５に示すように、フレーム１３は、キーボード本体１０の内部に配設されている。フレーム１３は枠形状を有しており、図５に示すように奥側フレーム１４、手前側フレーム１５、及び側部フレーム１６，１７等を有した構成とされている。このフレーム１３の中央には、キーボード１１が配設される開口部１８が形成されている。また奥側フレーム１４には、後述する装着装置４の一部を構成する第１スライド部材５０Ａ及び第２スライド部材５０Ｂが装着される。
【００１９】
なお以下の説明において、図中矢印Ｘ１，Ｘ２方向に対称に配設される各構成要素について、矢印Ｘ１方向側に配設される構成要素はその名称に「第１」と添記すると共に符号に「Ａ」を添記し、矢印Ｘ２方向側に配設される構成要素はその名称に「第２」と添記すると共に符号に「Ｂ」を添記するものとする。また、矢印Ｘ１方向及び矢印Ｘ２方向に対称に配設される構成要素を総称する場合には、「第１」及び「第２」との記載は省略するものとする。
【００２０】
次に、装着装置４について説明する。
【００２１】
装着装置４は、キーボードに着脱自在に装着されるベース部材３０と、タブレットＰＣ２が着脱可能に収納される収納部３２とを有している。
【００２２】
図１は、装着装置４がキーボード装置３に装着されると共に、収納部３２にタブレットＰＣ２が収納された状態を示している。図２は、装着装置４がキーボード装置３に装着された状態で、タブレットＰＣ２が収納部３２から取り外された状態を示している。図３は、装着装置４がキーボード装置３から取り外された状態を示している。また図４は、装着装置４の有するヒンジ機能により、タブレットＰＣ２がキーボード装置３に向けて折り畳まれた状態を示している。
【００２３】
図１及び図４に示されるように、キーボード装置３に装着された状態の装着装置４にタブレットＰＣ２を装着することにより、電子装置１Ａをノート型のＰＣ（パーソナルコンピュータ）と同様の形態で使用することができる。
【００２４】
装着装置４に設けられた、装着装置４をキーボード装置３に着脱可能に装着する装着機構は、図１〜図４に加えて図５に示すように、ベース部材３０、レバー部材３３Ａ，３３Ｂ、及びスライド部材５０Ａ，５０Ｂ等を有している。
【００２５】
ベース部材３０は金属或いは硬質の樹脂等により形成されており、矢印Ｘ１，Ｘ２方向に長く延在する矩形形状を有している。このベース部材３０の中心よりＸ１方向側には、第１突片４３Ａ、第１係合爪４２Ａ、及び第１ヒンジ取付け孔４７Ａが設けられている。また中心よりＸ２方向側には、第２突片４３Ｂ、第２係合爪４２Ｂ、及び第２ヒンジ取付け孔４７Ｂが設けられている。
【００２６】
係合爪４２Ａ，４２Ｂは、ベース部材３０から矢印Ｙ２方向に突出するよう設けられている。この係合爪４２Ａ，４２Ｂの先端部はＬ字状に折曲されてフック形状とされている。
【００２７】
突片４３Ａ，４３Ｂは、係合爪４２Ａ，４２Ｂの配設位置の外側に配設されている。各突片４３Ａ，４３Ｂの内側部分には、傾斜面４４Ａ，４４Ｂが形成されている。
【００２８】
また、ベース部材３０の両側部分に設けられたヒンジ取付け孔４７Ａ，４７Ｂには、ヒンジ部３１Ａ，３１Ｂが取り付けられる。このヒンジ部３１Ａ，３１Ｂは、一片がヒンジ取付け孔４７Ａ，４７Ｂにネジ等を用いて固定され、他片が収納部３２に固定される。よって、収納部３２はベース部材３０に対して回動可能な構成となる。
【００２９】
またヒンジ部３１Ａ，３１Ｂは、ベース部材３０に対して収納部３２を任意の角度で係止しうる構成とされている。従ってヒンジ部３１Ａ，３１Ｂは、図４に示すようにタブレットＰＣ２がキーボード装置３に重なる角度ばかりでなく、タブレットＰＣ２をキーボード装置３に対して任意のチルト角度で係止することができる。よって、装着装置４にタブレットＰＣ２を装着して使用する際、タブレットＰＣ２の視認性及び使用性を高めることができる。
【００３０】
レバー部材３３Ａ，３３Ｂは、平面視で略Ｌ字形状を有している。このレバー部材３３Ａ，３３Ｂは、操作レバー部３５Ａ，３５Ｂと、操作レバー部３５Ａ，３５Ｂと比較して短いロック解除レバー部３４Ａ，３４Ｂとを一体化した構成とされている。また各レバー部材３３Ａ，３３Ｂにおいて、操作レバー部３５Ａ，３５Ｂとロック解除レバー部３４Ａ，３４Ｂとの境界位置には、軸孔３６Ａ，３６Ｂが穿設されている。
【００３１】
第１レバー部材３３Ａは、第１ピン３７Ａを第１軸孔３６Ａに挿通した上でベース部材３０に形成された第１取付け孔３８Ａに固定することにより、ベース部材３０に回動可能に軸承される。また、第２レバー部材３３Ｂは、第２ピン３７Ｂを第２軸孔３６Ｂに挿通した上でベース部材３０に形成された第２取付け孔３８Ｂに固定することにより、ベース部材３０に移動可能に軸承される。
【００３２】
従って、第１操作レバー部３５Ａを図５中矢印ＦＡ１方向に回動させることにより第１ロック解除レバー部３４Ａは図５中矢印ＧＡ１方向に回動し、また第１操作レバー部３５Ａを図５中矢印ＦＡ２方向に回動させることにより第１ロック解除レバー部３４Ａは図５中矢印ＧＡ２方向に回動する。
【００３３】
同様に、第２操作レバー部３５Ｂを図５中矢印ＦＢ１方向に回動させることにより第２ロック解除レバー部３４Ｂは図５中矢印ＧＢ１方向に回動し、また第２操作レバー部３５Ｂを図５中矢印ＦＢ２方向に回動させることにより第２ロック解除レバー部３４Ｂは図５中矢印ＧＢ２方向に回動する。
【００３４】
図６は、ロック解除レバー部３４Ａ，３４Ｂの近傍を拡大して示す図である。同図に示すように、レバー部材３３Ａ，３３Ｂの軸孔３６Ａ，３６Ｂの近傍位置にはギア部３９Ａ，３９Ｂが形成されている。この第１ギア部３９Ａと第２ギア部３９Ｂは噛合しており、よって回転する際に第１レバー部材３３Ａと第２レバー部材３３Ｂは連動して回転する。
【００３５】
また、第１ロック解除レバー部３４Ａには第１バネ取付け部４１Ａが形成されると共に、第２ロック解除レバー部３４Ｂには第２バネ取付け部４１Ｂが形成されている。この第１バネ取付け部４１Ａと第２バネ取付け部４１Ｂとの間には、レバー用バネ４０が配設される。
【００３６】
レバー用バネ４０は、第１ロック解除レバー部３４Ａと第２ロック解除レバー部３４Ｂを離間する方向に弾性力を付勢する。よって、レバー用バネ４０は第１レバー部材３３Ａを第１軸孔３６Ａを中心として反時計方向に回動付勢し、第２レバー部材３３Ｂを第２軸孔３６Ｂを中心として時計方向に回動付勢する。
【００３７】
また、各レバー部材３３Ａ，３３Ｂは、当接部４８Ａ，４８Ｂを有している。この当接部４８Ａ，４８Ｂは、軸孔３６Ａ，３６Ｂの形成位置よりも操作レバー部３５Ａ，３５Ｂ寄りの所定範囲に設けられている。第１レバー部材３３Ａが矢印ＦＡ１方向に回動し、第２レバー部材３３ＢがＦＢ１方向に回動した場合、第１当接部４８Ａと第２当接部４８Ｂは当接する。
【００３８】
よって、レバー用バネ４０の弾性力によりレバー部材３３Ａ，３３Ｂが軸孔３６Ａ，３６Ｂを中心として回動付勢されても、第１当接部４８Ａと第２当接部４８Ｂが当接することにより、レバー部材３３Ａ，３３Ｂのそれ以上の回転が規制される。各当接部４８Ａ，４８Ｂが当接した状態で、第１ロック解除レバー部３４Ａ及び第２ロック解除レバー部３４Ｂ、第１操作レバー部３５Ａ及び第２操作レバー部３５Ｂは略Ｖ字状に広がった状態となる（図５，図１０参照。以下、この状態をレバー開状態という）。
【００３９】
また、レバー用バネ４０の弾性力に抗して第１操作レバー部３５Ａを矢印ＦＡ２方向に回動させると共に第２操作レバー部３５Ｂを矢印ＦＢ２方向に回動させると、各操作レバー部３５Ａ，３５Ｂは、ベース部材３０の側面に当接した状態となる（図７参照。以下、この状態をレバー閉状態という）。このレバー閉状態では、第１ロック解除レバー部３４Ａ及び第２ロック解除レバー部３４Ｂは、いずれも矢印Ｙ１，Ｙ２方向に延出した状態となっている。
【００４０】
図５に示すように、スライド部材５０Ａ，５０Ｂは板状の部材であり、キーボード装置３を構成するフレーム１３に配設される。このスライド部材５０Ａ，５０Ｂは、ガイド穴５１Ａ，５１Ｂ、長孔５２Ａ，５２Ｂ、係合凹部５３Ａ，５３Ｂ、傾斜面５５Ａ，５５Ｂ、及び被操作部５８Ａ，５８Ｂが一体的に形成された構成とされている。
【００４１】
ガイド穴５１Ａ，５１Ｂは、矢印Ｘ１，Ｘ２方向に延在する長孔である。フレーム１３の奥側フレーム１４には案内突起１９Ａ，１９Ｂが立設されており、スライド部材５０Ａ，５０Ｂを奥側フレーム１４に装着した状態で、案内突起１９Ａ，１９Ｂはガイド穴５１Ａ，５１Ｂに挿入される。
【００４２】
長孔５２Ａ，５２Ｂは、矢印Ｘ１，Ｘ２方向に延在している。奥側フレーム１４には突起２０Ａ，２０Ｂが立設されており、スライド部材５０Ａ，５０Ｂを奥側フレーム１４に装着した状態で、突起２０Ａ，２０Ｂは長孔５２Ａ，５２Ｂに挿入される。
【００４３】
スライドバネ６０Ａ，６０Ｂは、長孔５２Ａ，５２Ｂ内に装着される。具体的には、第１長孔５２Ａ内に装着された状態で、第１スライドバネ６０Ａの矢印Ｘ１方向側の端部は長孔内に挿入された第１突起２０Ａに固定され、矢印Ｘ２方向側の端部は第１長孔５２Ａの矢印Ｘ２方向側の内壁に固定される。
【００４４】
この第１スライドバネ６０Ａは、第１スライド部材５０Ａを矢印Ｘ２方向に移動付勢する。しかしながら第１スライド部材５０Ａは、第１案内突起１９Ａが第１ガイド穴５１Ａの矢印Ｘ１方向側の内壁に当接することにより、それ以上の矢印Ｘ２方向の移動が規制される。
【００４５】
また第２スライドバネ６０Ｂは第２長孔５２Ｂ内に装着された状態で、矢印Ｘ２方向側の端部は第２長孔内に挿入された第２突起２０Ｂに固定され、矢印Ｘ１方向側の端部は第２長孔５２Ｂの矢印Ｘ１方向側の内壁に固定される。
【００４６】
この第２スライドバネ６０Ｂは、第２スライド部材５０Ｂを矢印Ｘ１方向に移動付勢する。しかしながら第２スライド部材５０Ｂは、第２案内突起１９Ｂが第２ガイド穴５１Ｂの矢印Ｘ２方向側の内壁に当接することにより、それ以上の矢印Ｘ１方向の移動が規制される。
【００４７】
係合凹部５３Ａ，５３Ｂは、ベース部材３０に形成された係合爪４２Ａ，４２Ｂに対応する位置に設けられている。ベース部材３０に形成された係合爪４２Ａ，４２Ｂは，装着装置４がキーボード装置３に装着された際に係合凹部５３Ａ，５３Ｂと係合する。この係合爪４２Ａ，４２Ｂが係合凹部５３Ａ，５３Ｂに係合することにより、装着装置４はキーボード装置３に係止（ロック）された状態となる。
【００４８】
第１傾斜面５５Ａは、第１スライド部材５０Ａの外側（矢印Ｘ１方向側）に設けられている。この第１傾斜面５５Ａは装着装置４がキーボード装置３に装着される際、ベース部材３０に形成された第１傾斜面４４Ａと接触可能に構成とされている。
【００４９】
また第２傾斜面５５Ｂは、第２スライド部材５０Ｂの外側（矢印Ｘ２方向側）に設けられている。この第２傾斜面５５Ｂは装着装置４がキーボード装置３に装着される際、ベース部材３０に形成された第２傾斜面４４Ｂと接触可能に構成されている。
【００５０】
第１被操作部５８Ａは、第１スライド部材５０Ａの内側（矢印Ｘ２方向側）に設けられている。この第１被操作部５８Ａは装着装置４がキーボード装置３から離脱される際、ベース部材３０に設けられた第１レバー部材３３Ａ（第１ロック解除レバー部３４Ａ）により矢印Ｘ１方向に向けて押圧操作される。
【００５１】
第２被操作部５８Ｂは、第２スライド部材５０Ｂの内側（矢印Ｘ１方向側）に設けられている。この第２被操作部５８Ｂは装着装置４がキーボード装置３から離脱される際、ベース部材３０に設けられた第２レバー部材３３Ｂ（第２ロック解除レバー部３４Ｂ）により矢印Ｘ２方向に向けて押圧操作される。
【００５２】
次に、装着装置４がキーボード装置３に対して装着脱される際の動作について、主に図７〜図１１を用いて説明する。なお，図７〜図１１においては、図示の便宜上、ヒンジ部３１Ａ，３１Ｂ及び収納部３２の図示は省略するものとする。
【００５３】
先ず、装着装置４をキーボード装置３から離脱させる動作について説明する。図７は、装着装置４がキーボード装置３に装着された状態を示している（以下、この状態を装着状態という）。
【００５４】
装着状態では、ベース部材３０に設けられた係合爪４２Ａ，４２Ｂはスライド部材５０Ａ，５０Ｂに設けられた係合凹部５３Ａ，５３Ｂと係合しており、これによりベース部材３０の矢印Ｙ１方向への移動は規制（ロック）されている。また、スライド部材はスライドバネによって内側に付勢されている。よって装着状態では、装着装置４はキーボード装置３にガタツクことなく確実に装着される。
【００５５】
また装着状態では、第１ロック解除レバー部３４Ａは第１スライド部材５０Ａの第１被操作部５８Ａと接し、第２ロック解除レバー部３４Ｂは第２スライド部材５０Ｂの第２被操作部５８Ｂと接している。
【００５６】
前記のように、ロック解除レバー部３４Ａ，３４Ｂは、レバー用バネ４０により互いが開く方向に付勢されている。即ち、図５に示されるように第１ロック解除レバー部３４Ａはレバー用バネ４０により矢印ＧＡ１方向に回動付勢され、また第２ロック解除レバー部３４Ｂはレバー用バネ４０により矢印ＧＢ１方向に回動付勢されている。
【００５７】
これに対し、第１被操作部５８Ａ（第１スライド部材５０Ａ）は第１スライドバネ６０Ａにより矢印Ｘ２方向に移動付勢され、第２被操作部５８Ｂは第２スライドバネ６０Ｂにより矢印Ｘ１方向に移動付勢されている。ここで、スライドバネ６０Ａ，６０Ｂが発生する弾性力は、レバー用バネ４０が発生する弾性力に対して大きくなるよう設定されている。
【００５８】
即ち、第１ロック解除レバー部３４Ａが第１被操作部５８Ａを矢印ＧＡ１方向に移動付勢する力に比べ、第１被操作部５８Ａが第１ロック解除レバー部３４Ａを矢印Ｘ２方向に移動付勢する力の方が大きく設定されている。同様に、第２ロック解除レバー部３４Ｂが第２被操作部５８Ｂを移動付勢する力に比べ、第２被操作部５８Ｂが第２ロック解除レバー部３４Ｂを移動付勢する力の方が大きく設定されている。
【００５９】
装着状態では、第１スライド部材５０Ａはスライドバネの付勢力により矢印Ｘ２方向の移動限界位置にある。また、第１ロック解除レバー部３４Ａがスライドバネ６０ＡによりＸ２方向に付勢されている第１被操作部５８Ａに付勢されることにより、第１レバー部材３３Ａは第１軸孔３６Ａを中心に時計方向に回動する方向に付勢される。また、第２スライド部材５０Ｂは矢印Ｘ１方向の移動限位置まで移動しており、これに伴い第２ロック解除レバー部３４Ｂが第２被操作部５８Ｂに付勢されることにより第２レバー部材３３Ｂは第２軸孔３６Ｂを中心に反時計方向に回動している。
【００６０】
そして、装着状態においてレバー部材３３Ａ，３３Ｂは、操作レバー部３５Ａ，３５Ｂがベース部材３０の長手方向の側面に沿った状態（レバー閉状態）となり、またロック解除レバー部３４Ａ，３４Ｂはベース部材３０から矢印Ｙ２方向に延出した状態となっている。
【００６１】
上記の装着状態から装着装置４をキーボード装置３から離脱させるには、本実施形態では図８に示すように、第１操作レバー部３５Ａを反時計方向（図８中、矢印ＦＡ１方向）に回動操作すると共に、第２操作レバー部３５Ｂを時計方向（図８中、矢印ＦＢ１方向）に回動操作する。なお、前記のようにギア部３９Ａ，３９Ｂが噛合することにより第１レバー部材３３Ａと第２レバー部材３３Ｂは連動して回動するため、第１レバー部材３３Ａ又は第２レバー部材３３Ｂのいずれか一方のみの回動操作でもよい。
【００６２】
第１操作レバー部３５Ａ（第１レバー部材３３Ａ）が矢印ＦＡ１方向に回動することにより、第１ロック解除レバー部３４Ａは矢印ＧＡ１方向に回動し（図５、８参照）、これにより第１被操作部５８Ａは第１ロック解除レバー部３４Ａにより矢印Ｘ１方向に押圧操作される。よって、第１スライド部材５０Ａは、第１ロック解除レバー部３４Ａにより第１スライドバネ６０Ａの弾性力に抗して矢印Ｘ１方向に移動を開始する。
【００６３】
同様に、第２操作レバー部３５Ｂ（第２レバー部材３３Ｂ）が矢印ＦＢ１方向に回動することにより、第２ロック解除レバー部３４Ｂは矢印ＧＢ１方向に回動し（図５参照）、これにより第２被操作部５８Ｂは第２ロック解除レバー部３４Ｂにより押圧操作される。よって、第２スライド部材５０Ｂは、第２ロック解除レバー部３４Ｂにより第２スライドバネ６０Ｂの弾性力に抗して矢印Ｘ２方向に移動を開始する。
【００６４】
上記のように第１スライド部材５０Ａが矢印Ｘ１方向に移動すると共に第２スライド部材５０Ｂが矢印Ｘ２方向に移動すると、やがて係合凹部５３Ａ，５３Ｂは係合爪４２Ａ，４２Ｂから離脱する。図９は、係合爪４２Ａ，４２Ｂと係合凹部５３Ａ，５３Ｂとの係合が解除された状態を示している。
【００６５】
係合爪４２Ａ，４２Ｂと係合凹部５３Ａ，５３Ｂとの係合が解除されることにより、キーボード装置３と装着装置４との係止は解除（ロック解除）され、装着装置４はキーボード装置３に対して離脱可能な状態となる。
【００６６】
また、図８に示すように第１スライド部材５０Ａが矢印Ｘ１方向に移動することにより、第１スライド部材５０Ａに形成された第１傾斜面５５Ａはベース部材３０に形成された第１傾斜面４４Ａと接触する。各傾斜面４４Ａ，５５Ａの傾斜により、第１スライド部材５０Ａが矢印Ｘ１方向に移動するのに従い、ベース部材３０を矢印Ｙ１方向に移動させる力が発生する。
【００６７】
また、第２スライド部材５０Ｂが矢印Ｘ２方向に移動することにより、第２スライド部材５０Ｂの第２傾斜面５５Ｂはベース部材３０の第２傾斜面４４Ｂと係合する。この各傾斜面４４Ｂ，５５Ｂの傾斜角度も、第２スライド部材５０Ｂが矢印Ｘ２方向に移動するのに従い、ベース部材３０を矢印Ｙ１方向に移動させる力を発生させるよう構成されている。
【００６８】
よって、上記のように係合爪４２Ａ，４２Ｂと係合凹部５３Ａ，５３Ｂとの係合が解除された後、更にスライド部材５０Ａ，５０Ｂを外側に向けてスライドすることにより、ベース部材３０はキーボード装置３に対して自動的に離脱し、Ｙ１方向に移動する。
【００６９】
このように本実施形態に係る装着装置４は、操作レバー部３５Ａ，３５Ｂ（レバー部材３３Ａ，３３Ｂ）の操作により、キーボード装置３と装着装置４とのロック解除が行われると共に、装着装置４をキーボード装置３から離脱させる動作が行われる。よって、操作性よく装着装置４をキーボード装置３から離脱させることができる。
【００７０】
また、装着装置４がキーボード装置３から離脱する際、ベース部材３０の両側面４５Ａ，４５Ｂはフレーム１３に形成されたガイド部２１Ａ，２１Ｂにガイドされるため、これによっても装着装置４のキーボード装置３からの離脱を円滑に行うことができる。
【００７１】
図１０は、装着装置４がキーボード装置３から取り外された状態を示している。装着装置４がキーボード装置３から取り外された状態では、第１ロック解除レバー部３４Ａと第２ロック解除レバー部３４Ｂとの間に配設されたレバー用バネ４０の弾性力により、ロック解除レバー部３４Ａ，３４Ｂ及び操作レバー部３５Ａ，３５Ｂはレバー開状態となっている。
【００７２】
このように、装着装置４がキーボード装置３から離脱された状態で、ベース部材３０からベース部材３０の操作レバー部３５Ａ，３５Ｂが斜め後方に延出するため、装着装置４は操作レバー部３５Ａ，３５Ｂにより支持される。
【００７３】
よって装着装置４は、キーボード装置３から離脱した状態でも、図３に示すようにタブレットＰＣ２を収納部３２に装着した状態で保持することができる。また、ヒンジ部３１Ａ，３１Ｂにより、ベース部材３０に対するタブレットＰＣ２の角度を調整することも可能である。
【００７４】
一方、装着装置４をキーボード装置３に装着するには、先ず操作レバー部３５Ａ，３５Ｂをレバー閉状態とする。具体的には、図１１に示すように第１操作レバー部３５Ａ（第１レバー部材３３Ａ）をベース部材３０と当接する位置まで時計方向（矢印ＦＡ２方向）に回動させると共に、第２操作レバー部３５Ｂ（第２レバー部材３３Ｂ）をベース部材３０と当接する位置まで反時計方向（矢印ＦＢ２方向）に回動させる。
【００７５】
この操作により、第１ロック解除レバー部３４Ａは矢印ＧＡ２方向に回動すると共に第２ロック解除レバー部３４Ｂは矢印ＧＢ２方向に回動する。これにより、各ロック解除レバー部３４Ａ，３４Ｂは、矢印Ｙ２方向に延出した状態となる。
【００７６】
続いて，装着装置４をキーボード装置３に向けて挿入する。具体的には、第１側面４５Ａと第１ガイド部２１Ａを位置決めすると共に、第２側面４５Ｂを第２ガイド部２１Ｂに位置決めした上で、装着装置４をキーボード装置３に向けて矢印Ｙ２方向に挿入する。この際、側面４５Ａ，４５Ｂがガイド部２１Ａ，２１Ｂにガイドされることにより、装着装置４はキーボード装置３に円滑に挿入される。
【００７７】
装着装置４がキーボード装置３に挿入されると、ベース部材３０に設けられている第１傾斜面４４Ａは第１スライド部材５０Ａの第１傾斜面５５Ａと接触し、第２傾斜面４４Ｂは第２スライド部材５０Ｂの第２傾斜面５５Ｂと接触する。また、ロック解除レバー部３４Ａ，３４Ｂは、第１被操作部５８Ａと第２被操作部５８Ｂの間に挿入される。更に、係合爪４２Ａ，４２Ｂは係合凹部５３Ａ，５３Ｂと被操作部５８Ａ，５８Ｂとの間の位置に挿入される。
【００７８】
この装着装置４キーボード装置３に装着する際、係合爪４２Ａ，４２Ｂの先端のテーパ４２Ａ１，４２Ｂ１と係合凹部５３Ａ，５３Ｂの外側面に形成されたテーパ５３Ａ１，５３Ａ２とが接触する。よって、装着装置４を矢印Ｙ２方向に移動させると、係合爪４２Ａ，４２Ｂのテーパ４２Ａ１，４２Ｂ１が係合凹部５３Ａ，５３Ｂのテーパ５３Ａ１，５３Ｂ１を押圧し、これによりスライド部材５０Ａ，５０Ｂはスライドバネ６０Ａ，６０Ｂの弾性力に抗して外側に移動する。
【００７９】
そして、装着装置４の矢印Ｙ１方向の移動に伴いテーパ４２Ａ１，４２Ｂ１がテーパ５３Ａ１，５３Ｂ１を乗り越えると、スライドバネ６０Ａ，６０Ｂの弾性力によりスライド部材５０Ａ，５０Ｂは内側に移動し、係合爪４２Ａ，４２Ｂは係合凹部５３Ａ，５３Ｂと係合する。このように、係合爪４２Ａ，４２Ｂが係合凹部５３Ａ，５３Ｂに係合することにより、装着装置４はキーボード装置３に係止されてロック状態となる。
【００８０】
また、第１スライド部材５０Ａが矢印Ｘ２方向にスライドすることにより、第１被操作部５８Ａは第１ロック解除レバー部３４ＡをＸ２方向に押圧する。また、第２スライド部材５０Ｂが矢印Ｘ１方向にスライドすることにより、第２被操作部５８Ｂは第２ロック解除レバー部３４Ｂを押圧する。これにより、レバー部材３３Ａ，３３ＢのＧＡ１、ＧＢ１方向への回動は、スライド部材５０Ａ，５０Ｂに規制される。上記の一連の動作を行うことにより、装着装置４は再び装着状態となる。
【００８１】
上記の構成とされた装着装置４を適用した電子装置１Ａでは、図１に示すように装着装置４をキーボード装置３に装着すると共に、装着装置４にタブレットＰＣ２を装着することにより、電子装置１ＡをノートタイプのＰＣと同様の態様で使用することが可能となる。またこの態様で使用した場合には、図４に示すように、タブレットＰＣ２をキーボード装置３に向けて折り畳むことも可能である。
【００８２】
また、図３に示すようにタブレットＰＣ２を装着装置４に装着した状態を維持しつつ、装着装置４をキーボード装置３から離脱することにより、電子装置１ＡをディスクトップタイプのＰＣと同様の態様で使用することが可能となる。この状態においても、ヒンジ部３１Ａ，３１Ｂにより、タブレットＰＣ２の角度を調整することは可能である。
【００８３】
このように装着装置４を適用することにより、タブレットＰＣ２とキーボード装置３を多様な使用態様で使用することが可能となり、電子装置１Ａの使用性の向上を図ることができる。
【００８４】
図１２及び図１３は、他の実施形態である装着装置４及び電子装置１Ｂを示している。
【００８５】
図１〜図１１を用いて説明した装着装置４は、装着装置４をキーボード装置３から離脱させる際、操作者がレバー部材３３Ａ，３３Ｂの操作レバー部３５Ａ，３５Ｂを操作する構成とされていた。
【００８６】
これに対して図１２及び図１３の実施形態では、スライド部材５０Ａ，５０Ｂにロック解除ピン５７Ａ，５７Ｂを設け、装着装置６４をキーボード装置３から離脱させる際、操作者がこのロック解除ピン５７Ａ，５７Ｂを操作することにより離脱動作が行われる状態を示している。
【００８７】
ロック解除ピン５７Ａ，５７Ｂは、本実施形態では被操作部５８Ａ，５８Ｂに設けた例を示している。しかしながら、ロック解除ピン５７Ａ，５７Ｂの配設位置は被操作部５８Ａ，５８Ｂに限定されるものではなく、スライド部材５０Ａ，５０Ｂ上であれば他の部位に設けることも可能である。
【００８８】
ロック解除ピン５７Ａ，５７Ｂは、その下端部がスライド部材５０Ａの被操作部５８Ａ，５８Ｂに固定されている。なお、ロック解除ピンは、スライド部材と一体的に成型されていても、スライド部とは別部材としてもよい。またキーボード本体１０（上面パネル）のロック解除ピン５７Ａ，５７Ｂの配設位置と対応する位置には、図１３に示すように、長孔２２Ａ，２２Ｂが形成されている。
【００８９】
この長孔２２Ａ，２２Ｂの延在方向は、スライド部材５０Ａ，５０Ｂの移動方向（矢印Ｘ１，Ｘ２方向）と対応するよう構成されている。ロック解除ピン５７Ａ，５７Ｂは、その上端部が長孔２２Ａ，２２Ｂを挿通してキーボード本体１０の上面（パネル）上に突出するよう構成されている。
【００９０】
装着装置６４をキーボード装置３から離脱させるには、キーボード本体１０上に突出した第１ロック解除ピン５７Ａを図１３に図示された矢印Ｈ１方向に第１長孔２２Ａに沿って移動操作すると共に、第２ロック解除ピン５７Ｂを矢印Ｈ２方向に第２長孔２２Ｂに沿って移動操作する。
【００９１】
この操作により、第１スライド部材５０Ａは矢印Ｘ１方向にスライドし、第２スライド部材５０Ｂは矢印Ｘ２方向にスライドする。これにより、装着装置６４は図８〜図１０を用いて先に説明した同様の動作を行い、装着装置４はキーボード装置３から離脱する。
【００９２】
本実施形態では、装着装置６４をキーボード装置３から離脱させる際に操作するロック解除ピン５７Ａ，７５Ｂがキーボード本体１０上に設けられているため、離脱操作の操作性を向上させることができる。
【００９３】
なお、図１２及び図１３の実施形態においても、図１〜図１１の実施形態と同様に操作レバー部を操作して装着装置６４をキーボード装置３から離脱させることは可能である。
【００９４】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００９５】
例えば、上記の各実施形態では装着装置４を用いてキーボード装置３に対してタブレットＰＣ２を着脱可能に装着する実施形態を示したが、装着装置４により着脱可能に装着される電子装置はタブレットＰＣ２及びキーボード装置３に限定されるものではない。例えば，装着装置４を用いて複数のタブレットＰＣを接続することも可能である。
【００９６】
また、スライド部材５０Ａ，５０Ｂを付勢するスライドバネ６０Ａ，６０Ｂは、必ずしもスライド部材５０Ａ，５０Ｂに形成された長孔５２Ａ，５２Ｂ内に設ける必要はなく，スライド部材５０Ａ，５０Ｂの外部に配置する構成としてもよい。
【符号の説明】
【００９７】
１Ａ，１Ｂ  電子装置
２  タブレットＰＣ
３  キーボード装置
４，６４  装着装置
６  タブレット本体
７  ディスプレイ装置
１０  キーボード本体
１１  キーボード
１３  フレーム
１９Ａ，１９Ｂ  案内突起
２０Ａ，２０Ｂ  突起
２１Ａ，２１Ｂ  ガイド部
２２Ａ，２２Ｂ  長孔
３０  ベース部材
３１Ａ，２１Ｂ  ヒンジ部
３２  収納部
３３Ａ，３３Ｂ  レバー部材
３４Ａ，３４Ｂ  ロック解除レバー部
３５Ａ，３５Ｂ  操作レバー部
３９Ａ，３９Ｂ  ギア部
４０  レバー用バネ
４２Ａ，４２Ｂ  係合爪
４３Ａ，４３Ｂ  突片
４４Ａ，４４Ｂ  傾斜面
４５Ａ，４５Ｂ  側面
５０Ａ，５０Ｂ  スライド部材
５１Ａ，５１Ｂ  ガイド穴
５２Ａ，５２Ｂ  長孔
５３Ａ，５３Ｂ  係合凹部
５５Ａ，５５Ｂ  傾斜面
５７Ａ，５７Ｂ  ロック解除ピン
５８Ａ，５８Ｂ  被操作部
６０Ａ，６０Ｂ  スライドバネ
【図１】
2015035027.tif 000003
【図２】
2015035027.tif 000004
【図３】
2015035027.tif 000005
【図４】
2015035027.tif 000006
【図５】
2015035027.tif 000007
【図６】
2015035027.tif 000008
【図７】
2015035027.tif 000009
【図８】
2015035027.tif 000010
【図９】
2015035027.tif 000011
【図１０】
2015035027.tif 000012
【図１１】
2015035027.tif 000013
【図１２】
2015035027.tif 000014
【図１３】
2015035027.tif 000015